(57)【要約】【課題】簡便な構成で家具類の転倒を防止することができる家具類転倒防止カーペットを提供することを目的とする。【解決手段】床板２０と家具類３０の間に設置されるカーペット１０であって、家具類３０と接する側の面に所定間隔で複数の突起１０ａが形成されており、家具類３０の底面が複数の突起１０ａにより支持されることを特徴とする家具類転倒防止カーペット。【選択図】図１
2018007823.tif 000002
【特許請求の範囲】
【請求項１】
床板と家具類の間に設置されるカーペットであって、
前記家具類と接する側の面に所定間隔で複数の突起が形成されており、前記家具類の底面が前記複数の突起により支持されることを特徴とする家具類転倒防止カーペット。
【請求項２】
前記カーペットの材質が樹脂又は木であることを特徴とする請求項１記載の家具類転倒防止カーペット。
【請求項３】
前記複数の突起の前記所定の間隔が、前記家具類の重量及び前記家具類の底面面積により決定されることを特徴とする請求項１又は２に記載の家具類転倒防止カーペット。
【発明の詳細な説明】
【技術分野】
【０００１】
本発明は、地震等による家具類の転倒を防止するための家具類転倒防止カーペットに関する。
【背景技術】
【０００２】
近年、特に日本では大きな地震が度々発生している。地震が発生した場合、室内の家具類が転倒し居住者の生命が脅かされる事態が想定される。従来、家具類の転倒防止構造としては、家具類を直接床面に固定し、又は家具類の頂部と壁をワイヤーや金具等で連結させることが行われていた。しかしながら、これらの方法では床面あるいは壁に修正を加えなければならないので、手間がかかるばかりでなく、家具類を移動する際、床面あるいは壁に跡形が残り見栄えが良くなかった。
【０００３】
そこで、例えば特許文献１では、床面に段差を生じることなく簡単に敷設でき、しかも、壁あるいは家具類の構造を変えることのない簡便な構造の転倒防止構造を備えた家具類の転倒防止カーペットに関する技術が開示されている。特許文献１の家具類の転倒防止カーペットについて以下に説明する。
【０００４】
図３（ａ）は特許文献１の家具類の転倒防止カーペットの床面への敷設方法を示す斜視図である。床面Ｆには同一形状の複数のタイルカーペット６０が敷設されており、これらタイルカーペット６０が敷設される床面Ｆからは連続した正方形状の一定区画Ｓ１の複数の同一形状のタイルカーペットユニット６０ａ（図３（ａ）では９枚）が取り除かれている。そして、残りの同一形状の複数のタイルカーペットユニット６０ｂはそのまま床面Ｆに敷設されている。なお、タイルカーペットユニット６０ｂは、通常マット６１とその裏面に接着された心材（図示せず）により構成されている。
【０００５】
そして、この取り除かれたタイルカーペットユニット６０ｂと同一区画Ｓ１のタイルカーペットユニット６０ａを構成するマット６１（図では９枚）の裏面全面には、通常用いられている心材に換えて、高強度及び又は高復元力を有する薄板状部材６３が接着剤を介して接着されている。また、マット６１と薄板状部材６３とを積層した厚さは、取除かれたタイルカーペット６０ａと同じ厚さである。なお、家具類としてのロッカー５１は、前面に観音開きのドア５２、５３を有しており、その底部には縦方向にフレーム５４〜５７が設けられている。
【０００６】
そして、前記薄板状部材６３が接着されたマット６１上にはロッカー５１が前記マット６１の一部がロッカー５１から張り出すように取付けられている。その際、マット６１の裏面全面にわたり接着されている前記薄板状部材６３の一辺には前記薄板状部材６３を折曲して垂直フランジ部６３ａが形成されている。そして、ロッカー５１の後部下端を前記薄板状部材６３の垂直フランジ部６３ａに当接させて、ボルト６４を垂直フランジ部６３ａの孔を介してロッカー５１のフレーム５４〜５７にねじ込むことにより、ロッカー５１とタイルカーペットユニット６０ａが固定されている。このようにして、このロッカー５１に取付けられた前記マット６１は床面Ｆのタイルカーペットユニット６０ａが取り除かれた一定区画Ｓ１に敷設される。
【０００７】
床面Ｆに敷設された転倒防止構造を備えたロッカー５１にあって、地震等によりロッカー５１が転倒しようとする場合には、図３（ｂ）に示すように、前記薄板状部材６３の垂直フランジ部６３ａに固定されているロッカー５１は、タイルカーペットユニット６０ａの先端縁Ｘ−Ｘを中心として破線のように回動しようとする。しかしながら、前記薄板状部材６３は高強度及び高復元力を有するので、Ａ方向に復元力が働き、ロッカー５１の転倒が防止される。
【０００８】
上記したように、特許文献１の家具類の転倒防止カーペットは効果的に家具類の転倒を防止できるとともに、高強度又は高復元力を有する薄板状部材を備えていない他のマットとの間に段差が生じることなく簡便に床に敷設できるので、見栄えも良く、しかも、人がつまずいたりすることもない。
【先行技術文献】
【特許文献】
【０００９】
【特許文献１】特開平１０−２８６１３８号公報
【発明の概要】
【発明が解決しようとする課題】
【００１０】
しかし、上記した家具類の転倒防止カーペットは、家具であるロッカー５１の底面に所定の大きさのカーペットを設置しなければならず、構造も複雑であるという課題があった。
【００１１】
本発明は、上記課題を解決するためになされたものであり、簡便な構成で家具類の転倒を防止することができる家具類転倒防止カーペットを提供することを目的とする。
【課題を解決するための手段】
【００１２】
本発明は、上記課題を解決するため以下の構成を有する。
【００１３】
（１）床板と家具類の間に設置されるカーペットであって、
前記家具類と接する側の面に所定間隔で複数の突起が形成されており、前記家具類の底面が前記複数の突起により支持されることを特徴とする家具類転倒防止カーペット。
【００１４】
（２）前記カーペットの材質が樹脂又は木であることを特徴とする前記（１）記載の家具類転倒防止カーペット。
【００１５】
（３）前記複数の突起の前記所定の間隔が、前記家具類の重量及び前記家具類の底面面積により決定されることを特徴とする前記（１）又は（２）に記載の家具類転倒防止カーペット。
【発明の効果】
【００１６】
本発明によれば、簡便な構成で家具類の転倒を防止することができる家具類転倒防止カーペットを提供することができる。
【図面の簡単な説明】
【００１７】
【図１】本発明の家具類転倒防止カーペットの構成等を示す斜視図である。
【図２】本発明の家具類転倒防止カーペットの機能を説明するための図である。
【図３】従来の家具類の転倒防止カーペットの構成を示す斜視図である。
【発明を実施するための形態】
【００１８】
本発明を実施するための形態を、図面を参照しつつ以下に説明する。
【実施例１】
【００１９】
図１（ａ）は、本発明の家具類転倒防止カーペット１０を使って室内に家具類３０を設置した状態を示す斜視図である。家具類転倒防止カーペット１０は、通常のカーペットと同様に床板２０の上に設置されている。家具類転倒防止カーペット１０と床板２０の間を接着剤により接着しても良いし、家具類転倒防止カーペット１０を床板２０に釘等で固定してもよい。また、家具類転倒防止カーペット１０が床板２０に対してずれないのであばれ、特に固定しなくてもよい。家具類３０は、家具類転倒防止カーペット１０の上に壁４０に近接するように設置されている。
【００２０】
家具類転倒防止カーペット１０は、上面側の全面に所定間隔で複数の突起１０ａを有している。これらの突起１０ａは、家具類３０の設置により変形しない程度の強度を有しているものとする。従って、家具類転倒防止カーペット１０の材質としては、硬めの樹脂が適しているといえる。また、可能であれば木で作成してもよい。なお、複数の突起１０ａの間隔Ｈは設置される家具類３０の大きさや重量により、適宜決定するものとする。
【００２１】
なお、家具類転倒防止カーペット１０に載せられる家具類としては、図１（ａ）に示したような通常の家具の他に、図１（ｂ）に示したショーケース３１、図１（ｃ）に示した棚３２であっても同様に地震発生時に転倒が防止される。
【００２２】
図２（ａ）は、家具類転倒防止カーペット１０の上に家具類３０が設置された状態を示す側面図である。家具類３０が、家具類転倒防止カーペット１０の複数の突起１０ａによって支えられているのがわかる。図２（ａ）の状態から、地震によって床が傾斜した状態を図２（ｂ）に示す。この状態では、家具類３０は家具類転倒防止カーペット１０の複数の突起１０ａの上を滑り壁から離れるように移動する。家具類３０と突起１０ａの間の摩擦が少ないため、家具類３０は突起１０ａの上を滑ることができる。従来のカーペットの上に設置された家具類３０のように、家具類３０の底面の縁がカーペットに食い込んで転倒することはない。その結果、家具類３０の近くの人間を家具類３０が傷つけることもない。図２（ｃ）は、図２（ｂ）の状態から逆方向に揺れ戻された状態を示す図である。この場合も家具類３０は転倒することなく、壁に向かって移動するだけである。
【００２３】
本発明の家具類転倒防止カーペットによれば、簡便な構成で家具類の転倒を防止することができる。
【符号の説明】
【００２４】
１０    家具類転倒防止カーペット
１０ａ  突起
２０    床板
３０    家具類
３１    ショーケース
３２    棚
４０    壁
【図１】
2018007823.tif 000003
【図２】
2018007823.tif 000004
【図３】
2018007823.tif 000005